(57)【特許請求の範囲】
【請求項１】
所定数の照明機器が配置される基本の天井モジュールが１以上組み合わされたシステム天井における前記天井モジュールの各照明機器に対する配線接続を行う照明配線モジュールであって、
前記天井モジュール内の各照明機器にコネクタを介して接続され、前記天井モジュール内の照明機器の個数分で長さが同一の複数の照明配線と、
隣接する前記天井モジュールにコネクタ接続可能な２本の電源接続配線と、
前記複数の照明配線と前記２本の電源接続配線を放射状に接続するとともに、前記天井モジュールに吊り下げられた支持部材に取り付けられるジョイントと、
を備え、
前記支持部材は、ネジスタッドであり、
前記ジョイントは、前記ネジスタッドに螺合するネジ通し穴を有することを特徴とする照明配線モジュール。
【請求項２】
前記２本の電源接続配線は、前記照明配線の長さと同じであることを特徴とする請求項１に記載の照明配線モジュール。
【請求項３】
所定数の照明機器が配置される基本の天井モジュールが１以上組み合わされたシステム天井における前記天井モジュールの各照明機器に対する配線接続を行う照明配線工法であって、
前記天井モジュール内の各照明機器にコネクタを介して接続され、前記天井モジュール内の照明機器の個数分で長さが同一の複数の照明配線と、隣接する前記天井モジュールにコネクタ接続可能な２本の電源接続配線と、前記複数の照明配線と前記２本の電源接続配線を放射状に接続するとともに、前記天井モジュールに吊り下げられた支持部材に取り付けられるジョイントとを有した照明配線モジュールを搬入する搬入工程と、
前記天井モジュールに吊下げられた支持部材を取り付ける支持部材取付工程と、
前記ジョイントを前記支持部材に取り付けるジョイント取付工程と、
前記複数の照明配線を前記照明機器にコネクタ接続するとともに、前記２本の電源接続配線を、隣接する天井モジュールに取り付けられる前記照明配線モジュールの電源接続配線にコネクタ接続する接続工程と、
を含み、
前記支持部材は、ネジスタッドであり、
前記ジョイントは、前記ネジスタッドに螺合するネジ通し穴を有することを特徴とする照明配線工法。
【請求項４】
前記２本の電源接続配線は、前記照明配線の長さと同じであることを特徴とする請求項３に記載の照明配線工法。
【発明の詳細な説明】
【技術分野】
【０００１】
本発明は、所定数の照明機器が配置される基本の天井モジュールが１以上組み合わされたシステム天井における前記天井モジュールの各照明機器に対する配線接続を行う照明配線モジュール及び照明配線工法に関する。
【背景技術】
【０００２】
従来、照明設備を設置する場合に用いられる配線ケーブルは、ケーブルドラムに巻き付けられた状態で照明設備の設置現場に搬入されていた。そして、設置現場で照明配線毎に、１本ずつ必要な寸法に配線ケーブルを切断し、切断された配線ケーブルを用いて照明配線の接続及び設置を行っていた。したがって、従来の照明配線工事では多大な時間と労力とを要していた。
【０００３】
これに対し、特許文献１には、仮設照明システムとして、複数のＬＥＤ光源部品及び配線部品がコネクタによって結線されて壁面または天井面に線状に結線されるものが記載されている。そして、ＬＥＤ光源部品は、ＬＥＤ光源部品取付けレールから吊下げ用リングによって移動自在に吊下げられ、ＬＥＤ光源部品の取付位置は、配線部品の長さ及び撓み量を調整することで自在に設定できるようにしている。この場合、必要な寸法とした切断済みの配線部品を用いることができるので、ケーブルドラムを搬入する時間及び切断処理にかかる時間と労力とを削減することができる。
【先行技術文献】
【特許文献】
【０００４】
【特許文献１】特開２０１４−３５９６７号公報
【発明の概要】
【発明が解決しようとする課題】
【０００５】
ところで、本設の照明配線工事は、照明配線工事そのものに多大な時間と労力とがかかるが、現場ではさらに、工事の仕上げ工程まで待たなければならず、かつ、複数の仕上げ業者の作業との調整を行って短期間で照明配線工事を行わなければならないという問題があった。したがって、照明配線工事では、配線取付を容易かつ短時間に行なえることが要望される。
【０００６】
一方、現場ではなく、工場などで予め結線処理などを行っておくユニットケーブルが存在する。このユニットケーブルを用いれば、現場での作業を軽減することができる。しかし、ユニットケーブルは、１ユニットごとに製作図を作図し、工場で製作する、いわば「受注品」であるため、現場内あるいは他現場などの他所への転用は難しく、在庫にしておくこともできない。このため、ユニットケーブルは汎用性が低く、コストアップにつながる。しかも、ユニットケーブルは、作図、チェック、発注、受注などの手間がかかるとともに、結線や長さなどの間違いが発生する可能性もある。
【０００７】
本発明は、上記に鑑みてなされたものであって、汎用性が高く、配線取付が容易な照明配線モジュール及び照明配線工法を提供することを目的とする。
【課題を解決するための手段】
【０００８】
上述した課題を解決し、目的を達成するために、本発明にかかる照明配線モジュールは、所定数の照明機器が配置される基本の天井モジュールが１以上組み合わされたシステム天井における前記天井モジュールの各照明機器に対する配線接続を行う照明配線モジュールであって、前記天井モジュール内の各照明機器にコネクタを介して接続され、前記天井モジュール内の照明機器の個数分で長さが同一の複数の照明配線と、隣接する前記天井モジュールにコネクタ接続可能な２本の電源接続配線と、前記複数の照明配線と前記２本の電源接続配線を放射状に接続するとともに、前記天井モジュールに吊り下げられた支持部材に取り付けられるジョイントと、を備えたことを特徴とする。
【０００９】
また、本発明にかかる照明配線モジュールは、上記の発明において、前記支持部材は、ネジスタッドであり、前記ジョイントは、前記ネジスタッドに螺合するネジ通し穴を有することを特徴とする。
【００１０】
また、本発明にかかる照明配線モジュールは、上記の発明において、前記２本の電源接続配線は、前記照明配線の長さと同じであることを特徴とする。
【００１１】
また、本発明にかかる照明配線工法は、所定数の照明機器が配置される基本の天井モジュールが１以上組み合わされたシステム天井における前記天井モジュールの各照明機器に対する配線接続を行う照明配線工法であって、前記天井モジュール内の各照明機器にコネクタを介して接続され、前記天井モジュール内の照明機器の個数分で長さが同一の複数の照明配線と、隣接する前記天井モジュールにコネクタ接続可能な２本の電源接続配線と、前記複数の照明配線と前記２本の電源接続配線を放射状に接続するとともに、前記天井モジュールに吊り下げられた支持部材に取り付けられるジョイントとを有した照明配線モジュールを搬入する搬入工程と、前記天井モジュールに吊下げられた支持部材を取り付ける支持部材取付工程と、前記ジョイントを前記支持部材に取り付けるジョイント取付工程と、前記複数の照明配線を前記照明機器にコネクタ接続するとともに、前記２本の電源接続配線を、隣接する天井モジュールに取り付けられる前記照明配線モジュールの電源接続配線にコネクタ接続する接続工程と、を含むことを特徴とする。
【００１２】
また、本発明にかかる照明配線工法は、上記の発明において、前記支持部材は、ネジスタッドであり、前記ジョイントは、前記ネジスタッドに螺合するネジ通し穴を有することを特徴とする。
【００１３】
また、本発明にかかる照明配線工法は、上記の発明において、前記２本の電源接続配線は、前記照明配線の長さと同じであることを特徴とする。
【発明の効果】
【００１４】
本発明によれば、天井モジュール内の各照明機器にコネクタを介して接続され、前記天井モジュール内の照明機器の個数分で長さが同一の複数の照明配線と、隣接する前記天井モジュールにコネクタ接続可能な２本の電源接続配線と、前記複数の照明配線と前記２本の電源接続配線を放射状に接続するとともに、前記天井モジュールに吊り下げられた支持部材に取り付けられるジョイントと、を有した照明配線モジュールとし、コネクタ接続によって照明配線の取付を行うようにしているので、既存の天井モジュールに対応した汎用性が高い照明配線モジュールを実現できるとともに、コネクタ接続のみで配線取付が容易となる。
【図面の簡単な説明】
【００１５】
【図１】図１は、本実施の形態における照明配線モジュールの全体構成を示す斜視図である。
【図２】図２は、図１に示した照明配線モジュールを天井モジュールに設置した状態を示す斜視図である。
【図３】図３は、ジョイント内における電気的接続関係を示す図である。
【図４】図４は、照明配線モジュールを用いた天井モジュールに対する照明配線工法を示すフローチャートである。
【発明を実施するための形態】
【００１６】
以下、添付図面を参照して本発明を実施するための形態について説明する。
【００１７】
（全体構成）
図１は、本実施の形態における照明配線モジュール１の全体構成を示す斜視図である。また、図２は、図１に示した照明配線モジュール１を天井モジュール２０（２０ａ，２０ｂ）に設置した状態を示す斜視図である。なお、図２に示す天井モジュール２０は、複数のグリッドを有する例えば正方形の基本のモジュールである。１以上の天井モジュール２０が組み合わされて１つのシステム天井を構成する。各天井モジュール２０には、例えば、４つの照明機器７（７ａ，７ｂ，７ｃ，７ｄ）が矩形状に配置される。
【００１８】
図１に示すように、照明配線モジュール１は、４つの照明配線３（３ａ，３ｂ，３ｃ，３ｄ）、２つの電源接続配線５（５ａ，５ｂ）、及びジョイント２を有する。照明配線３及び電源接続配線５の一端は、ジョイント２に接続され、照明配線３及び電源接続配線５はジョイント２から放射状に延びるように接続される。また、照明配線３（３ａ，３ｂ，３ｃ，３ｄ）の他端には、図２に示す照明機器７（７ａ，７ｂ，７ｃ，７ｄ）を接続するコネクタ４（４ａ，４ｂ，４ｃ，４ｄ）がそれぞれ接続されている。図３に示すように、照明配線３ａ〜３ｄは、電源接続配線５（５ａ，５ｂ）に対して並列接続される。なお、コネクタ４ａ〜４ｄと照明機器７ａ〜７ｄとの接続関係は任意に設定される。また、照明配線３の数は、天井モジュール２０に取り付けられる照明機器７の数に応じて設けられる。例えば、照明機器７が天井モジュール２０に６つ設けられる場合には、６つの照明配線３が設けられる。
【００１９】
また、電源接続配線５（５ａ，５ｂ）の他端は、コネクタ６（６ａ，６ｂ）がそれぞれ接続されている。コネクタ６ａ，６ｂには、雌雄のコネクタがそれぞれ接続される。例えば、コネクタ６ａには、雄型のコネクタが接続され、コネクタ６ｂには、雌型のコネクタが接続される。したがって、図２に示すように、雄型のコネクタ６ａは、隣接する他の照明配線モジュールの雌型のコネクタ６ｂに接続することができる。また、雌型のコネクタ６ｂは、隣接する他の照明配線モジュールの雄型のコネクタ６ａに接続することができる。これによって、各照明配線モジュール１の電源接続配線５は、各照明配線モジュール１間での電力接続線として機能する。
【００２０】
各照明配線３ａ〜３ｄの長さは同じである。また、コネクタ４ａ〜４ｄは、照明機器７に接続可能なコネクタである。また、各電源接続配線５の長さは同じである。なお、照明配線３及び電源接続配線５の長さを同じにすることが好ましい。この配線長さを同じにすることによって、照明配線モジュール１の製造が容易になる。
【００２１】
例えば、天井モジュール２０の縦×横が３．６ｍ×３．６ｍである場合、照明配線３及び電源接続配線５の長さを２．５ｍに設定している。この照明配線３及び電源接続配線５の長さは、天井モジュール２０の対角線の１／２またはその近傍としている。すなわち、天井モジュール２０に配置された照明機器７に対して必ずコネクタ接続できる長さとしている。
【００２２】
ところで、図２に示すように、天井モジュール２０の中央には、全ネジのネジスタッド１０が天井モジュール２０に立設して、天井モジュール２０から吊り下げられるように取り付けられる。一方、図１に示すように、ジョイント２は、ネジスタッド１０に螺合するネジ通し穴２ａを有する。この螺合によってネジスタッド１０は、ジョイント２を支持する。照明配線モジュール１を天井モジュール２０に取り付ける場合、ジョイント２のネジ通し穴２ａをネジスタッド１０の一端から挿入し、ジョイント２を回転することによって、ジョイント２の位置が設定される。そして、照明配線モジュール１は、ジョイント２及びネジスタッド１０を介して天井モジュール２０に取り付けられる。なお、ジョイント２は、樹脂によって一体がモールドされている。
【００２３】
（照明配線工法）
ここで、図４を参照して、照明配線モジュール１を用いた天井モジュール２０に対する照明配線工法について説明する。図４に示すように、まず、配線モジュールを天井モジュール２０の近傍に搬入する（ステップＳ１０１）。その後、天井モジュール２０にネジスタッド１０を取り付ける（ステップＳ１０２）。その後、照明配線モジュール１のジョイント２をネジスタッド１０に取り付ける（ステップＳ１０３）。この状態で、照明配線３を照明機器７にコネクタ接続するとともに、隣接する照明配線モジュールの電源接続配線に対して電源接続配線５をコネクタ接続し（ステップＳ１０４）、本処理を終了する。
【００２４】
本実施の形態では、基本の天井モジュール２０に配置される照明機器７の数に応じた数の照明配線３をジョイント２から放射状に設けているので、規格化された天井モジュール２０に対する汎用性の高い照明配線モジュール１を実現することができる。なお、従来、建築仕上げの天井は、モジュール化された天井モジュール２０が存在していたが、照明配線モジュール１は無かった。
【００２５】
また、この照明配線モジュール１の汎用性が高いことは、照明配線モジュール１を製造した後、ストックしておき、このストックした照明配線モジュール１を他の現場でそのまま転用することができる。さらに、照明配線モジュール１は、現場でケーブル切断などの処理が行われないため、ケーブルの端材が生ずることもない。
【００２６】
さらに、本実施の形態では、天井モジュール２０の照明機器７に対する照明配線は、照明配線モジュール１を用いたコネクタ接続のみで行うことができる。また、天井モジュール２０に対する照明配線モジュール１の支持は、ジョイント２をネジスタッド１０に螺合するのみでよく、ナットやワッシャが不要であり、設置工具も不要となる。したがって、照明機器７に対する配線取付を容易に行うことができる。そして、この配線取付の容易性によって、配線取付時間は短縮される。
【００２７】
しかも、床コンクリートの打設後に、鉄筋耐火被覆や外壁取付を待たずに、配線取付の施工を行うことができる。この結果、他の仕上げ業者の作業との調整を行わなくても、配線取付を行うことができる。
【００２８】
なお、ジョイント２は、ネジスタッド１０に螺合するものであったが、これに限らず、天井モジュール２０側にリングを設け、ジョイント２側にリングに係合するフックなどを設けるようにしてもよい。要は、ジョイント２が天井モジュール２０に工具などを用いずに簡易に取り付けられる構成であればよい。
【符号の説明】
【００２９】
１  照明配線モジュール
２  ジョイント
２ａ  ネジ通し穴
３，３ａ〜３ｄ  照明配線
４，４ａ〜４ｄ，６，６ａ，６ｂ  コネクタ
５，５ａ，５ｂ  電源接続配線
７，７ａ〜７ｄ  照明機器
１０  ネジスタッド
２０，２０ａ，２０ｂ  天井モジュール
【図１】
0006350869.tif 000002
【図２】
0006350869.tif 000003
【図３】
0006350869.tif 000004
【図４】
0006350869.tif 000005